(57)【要約】【課題】転倒を防止できるテレビを提供する。【解決手段】テレビ１は、映像を表示する表示画面８ａを有した表示装置３と、表示装置３を支持した支持部材１２と、支持部材１２が取り付けられたカバー部材１１と、支持部材１２とは別の部品で構成された取付部材１３と、を具備する。取付部材１３は、支持部材１２から外れた位置でカバー部材１１に取り付けられるとともに、転倒防止部材１４が取り付けられる。【選択図】    図５
2011199416.tif 000002
【特許請求の範囲】
【請求項１】
映像を表示する表示画面を有した表示装置と、
前記表示装置を支持した支持部材と、
前記支持部材が取り付けられたカバー部材と、
前記支持部材とは別の部品で構成され、前記支持部材から外れた位置で前記カバー部材に取り付けられるとともに、転倒防止部材が取り付けられる取付部材と、
を具備したことを特徴とするテレビ。
【請求項２】
前記カバー部材は、前記支持部材と前記取付部材とが取り付けられた第１の面と、前記第１の面の反対側に位置するとともに前記表示装置の方向に向いた第２の面とを有したことを特徴とする請求項１に記載のテレビ。
【請求項３】
前記転倒防止部材に嵌合孔が設けられ、
前記取付部材は、前記嵌合孔に嵌め込まれることで前記転倒防止部材が取り付けられる嵌合部を有したことを特徴とする請求項２に記載のテレビ。
【請求項４】
前記取付部材は、前記カバー部材に取り付けられた基部を有し、
前記嵌合部は、前記基部から前記カバー部材と遠ざかる方向に向かって突出したことを特徴とする請求項３に記載のテレビ。
【請求項５】
前記取付部材は、前記基部との間で前記転倒防止部材を挟む挟持部を有したことを特徴とする請求項４に記載のテレビ。
【請求項６】
前記嵌合部は、前記挟持部と前記基部との間に配置されたことを特徴とする請求項５に記載のテレビ。
【請求項７】
前記挟持部は、前記嵌合部から遠ざかる方向に向かって曲げられた曲げ部を有したことを特徴とする請求項５に記載のテレビ。
【請求項８】
前記嵌合部は、前記基部との間で前記転倒防止部材を挟む係止部を有したことを特徴とする請求項４に記載のテレビ。
【請求項９】
画像を表示する表示装置を支持するための支持部材と、
前記支持部材が取り付けられたカバー部材と、
前記支持部材とは別の部品で構成され、前記支持部材から外れた位置で前記カバー部材に取り付けられるとともに、転倒防止部材が取り付けられる取付部材と、
を具備したことを特徴とするスタンド。
【請求項１０】
画像を表示する表示装置を支持するための支持部材と、
前記支持部材が取り付けられたカバー部材と、
前記支持部材とは別の部品で構成され、前記支持部材から外れた位置で前記カバー部材に取り付けられるとともに、転倒防止部材が取り付けられる取付部材と、
を具備したことを特徴とする電子機器。
【発明の詳細な説明】
【技術分野】
【０００１】
本発明は、転倒防止部材を備えたテレビに関する。さらに、本発明は、転倒防止部材を備えたスタンドおよび電子機器に関する。
【背景技術】
【０００２】
例えば液晶テレビのような薄型のテレビは、映像を表示する表示装置と、スタンドとを備えている。表示装置は、スタンドから外されて壁に掛けられることができる。一方、例えばテレビをテレビ台の上に設置する場合、表示装置はスタンドと共に用いられる。スタンドは、該表示装置を、例えばテレビ台の据付面の上に支持する。
【０００３】
スタンドには、例えば地震によるテレビの転倒を防止するため、転倒防止部材が取り付けられることがある。転倒防止部材には、例えばワイヤロープが掛け渡されるクリップや、テレビ台に固定されるベルトが用いられる。
【０００４】
特許文献１に開示されるスタンドには、クリップ状の固定具がねじによって取り付けられている。この固定具と壁に固定されたフックとの間にワイヤロープを掛け渡すことにより、液晶テレビが前方向に転倒することを防止できる。
【０００５】
さらに、上記のような転倒防止部材は、部品点数を削減するため、スタンドに設けられた嵌合部に取り付けられることがある。嵌合部は、例えばスタンドのベースから突出して設けられる。転倒防止部材には、嵌合部に対応する孔が設けられている。この孔に嵌合部が嵌り込むことで、転倒防止部材がスタンドに取り付けられる。
【先行技術文献】
【特許文献】
【０００６】
【特許文献１】特開２００７−３２２５１２号公報
【発明の概要】
【発明が解決しようとする課題】
【０００７】
テレビの外観を良くするため、スタンドにガラス製の部材が用いられる場合がある。この種のスタンドは、例えばガラス板に、表示装置が取り付けられる支持部と、ゴム製の足とを取り付けて形成される。
【０００８】
ガラス製の部材を用いたスタンドにおいて、従来のスタンドに用いられたような構造をそのまま適用しても、転倒防止部材をスタンドに取り付けることは困難である。例えば、ガラス板に前述した嵌合部を設けたとしても、かかる力によって嵌合部が破損するおそれがある。
【０００９】
本発明の目的は、転倒を防止できるテレビを提供することにある。さらに、本発明の他の目的は、取り付けられる表示装置の転倒を防止できるスタンド、および転倒を防止できる電子機器を提供することにある。
【課題を解決するための手段】
【００１０】
上記目的を達成するための本発明の一つの形態に係るテレビは、  
映像を表示する表示画面を有した表示装置と、前記表示装置を支持した支持部材と、前記支持部材が取り付けられたカバー部材と、前記支持部材とは別の部品で構成され、前記支持部材から外れた位置で前記カバー部材に取り付けられるとともに、転倒防止部材が取り付けられる取付部材と、を具備する。
【００１１】
上記目的を達成するための本発明の一つの形態に係るスタンドは、  
画像を表示する表示装置を支持するための支持部材と、前記支持部材が取り付けられたカバー部材と、前記支持部材とは別の部品で構成され、前記支持部材から外れた位置で前記カバー部材に取り付けられるとともに、転倒防止部材が取り付けられる取付部材と、を具備する。
【００１２】
上記目的を達成するための本発明の一つの形態に係る電子機器は、  
画像を表示する表示装置を支持するための支持部材と、前記支持部材が取り付けられたカバー部材と、前記支持部材とは別の部品で構成され、前記支持部材から外れた位置で前記カバー部材に取り付けられるとともに、転倒防止部材が取り付けられる取付部材と、を具備する。
【発明の効果】
【００１３】
本発明のテレビによれば、転倒を防止できる。さらに、本発明のスタンドによれば、取り付けられる表示装置の転倒を防止できる。本発明の電子機器によれば、転倒を防止できる。
【図面の簡単な説明】
【００１４】
【図１】本発明の第１の実施の形態にかかる液晶テレビの斜視図。
【図２】第１の実施形態の液晶テレビを後方向から示す斜視図。
【図３】第１の実施形態のスタンドを下方向から示す斜視図。
【図４】第１の実施形態のスタンドの分解図。
【図５】第１の実施形態の取付部材を示す斜視図。
【図６】第１の実施形態の取付部材の一部を拡大して示す斜視図。
【図７】第１の実施形態の取付部材の一部を図６の反対側から示す斜視図。
【図８】第１の実施形態の取付部材の一部を示す平面図。
【図９】図８のＦ９−Ｆ９線に沿って示す断面図。
【図１０】第１の実施形態の転倒防止部材の取り付け方法を示す説明図。
【図１１】第１の実施形態の転倒防止部材の使用方法を示す説明図。
【図１２】本発明の第２の実施の形態にかかるスタンドを下方向から示す斜視図。
【図１３】第２の実施形態の液晶テレビを後方向から示す斜視図。
【発明を実施するための形態】
【００１５】
以下に、本発明の第１の実施の形態を図１ないし図１１に基づいて説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１６】
図１は、第１の実施の形態にかかる液晶テレビ１を示す斜視図である。図２は、液晶テレビ１を後方向から見た斜視図である。液晶テレビ１は、テレビおよび電子機器の一例である。図１に示すように、液晶テレビ１は、例えばテレビ台２の据付面２ａに置かれる。液晶テレビ１は、表示装置３とスタンド４とを備えている。
【００１７】
表示装置３は、扁平な筐体７と、液晶表示パネル８とを有している。液晶表示パネル８は、筐体７に収容されている。液晶表示パネル８は、映像を表示する表示画面８ａを有している。表示画面８ａは、筐体７に設けられたディスプレイ開口部７ａから筐体７の外部に露出している。さらに、表示装置３は、テレビチューナーおよびスピーカーを内蔵するとともに、複数のケーブルが接続される。
【００１８】
図３は、スタンド４を下方向から示す斜視図である。図３に示すように、スタンド４は、カバー部材１１と、支持部材１２と、取付部材１３と、一対の転倒防止部材１４と、４つの第１のゴム足１５とを備えている。支持部材１２と、取付部材１３と、第１のゴム足１５とは、カバー部材１１に取り付けられている。転倒防止部材１４は、取付部材１３に取り付けられている。
【００１９】
図４は、スタンド４を分解して示す斜視図である。カバー部材１１は、例えば矩形のガラス板である。カバー部材１１は、第１の面２１と、第２の面２２とを有している。カバー部材１１に、挿通孔２３が設けられている。第１の面２１は、テレビ台２の据付面２ａと対向する。第２の面２２は、第１の面２１の反対方向に位置している。図１に示すように、第２の面２２は、表示装置３の方向に向いている。カバー部材１１は、例えば塗装が施されることによって、カバー部材１１の厚み方向に遮光されている。
【００２０】
挿通孔２３は、第１の面２１から第２の面２２に亘って設けられている。第１のゴム足１５は、第１の面２１に、例えば両面テープで固定されている。第１のゴム足１５は、カバー部材１１の４つの角部１１ａにそれぞれ配置されている。第１のゴム足１５は、据付面２ａに接してカバー部材１１を支持する。
【００２１】
支持部材１２は、底板２５と、支柱２６とを有している。底板２５は、切欠部２７と、切欠部２７に隣接する凹部２８とを有している。底板２５は、例えば両面テープによって、カバー部材１１の第１の面２１に固定されている。底板２５がカバー部材１１に固定されることにより、凹部２８は、カバー部材１１と協働して、切欠部２７に開口する穴を形成する。
【００２２】
図３に示すように、底板２５に、４つの第２のゴム足３１が取り付けられている。第２のゴム足３１は、例えば両面テープによって、底板２５に固定される。第２のゴム足３１は、据付面２ａに接して支持部材１２を支持する。さらに、第２のゴム足３１は、支持部材１２が取り付けられたカバー部材１１を支持する。
【００２３】
図４に示すように、支柱２６は、底板２５から突出して設けられている。支柱２６は、カバー部材１１の挿通孔２３に挿通される。このため図１に示すように、支柱２６は、カバー部材１１の第１の面２１から突出する。支柱２６は、ねじのような固定具によって、表示装置３に固定される。支持部材１２は、固定された表示装置３を支持する。
【００２４】
支柱２６は、底板２５に対して、支柱２６の周方向に回転する。支柱２６に表示装置３が固定されているため、支柱２６が底板２５に対して回転すると、表示装置３も底板２５に対して回転する。
【００２５】
図５は、転倒防止部材１４が取り付けられた取付部材１３を示す斜視図である。取付部材１３は、支持部材１２とは別の部品で構成されている。図５に示すように、取付部材１３は、基部３５と、嵌合部３６と、挟持部３７と、連結部３８とを有している。基部３５は、第１の面３５ａと、第２の面３５ｂと、外縁３５ｃと、内縁３５ｄとを有している。第２の面３５ｂは、第１の面３５ａの反対方向に位置している。内縁３５ｄは、外縁３５ｃの反対方向に位置する基部３５の周縁である。
【００２６】
図４に示すように、基部３５の第１の面３５ａは、例えば両面テープによって、支持部材１２から外れた位置でカバー部材１１の第１の面２１に固定される。図３に示すように、基部３５は、基部３５の外縁３５ｃがカバー部材１１の周縁部１１ｂに沿うように配置される。
【００２７】
図６は、取付部材１３の一部を拡大して示す斜視図である。図７は、基部３５の第２の面３５ｂの方向から取付部材１３の一部を示す斜視図である。図８は、取付部材１３を示す平面図である。図８に示すように、基部３５に開口部４１が設けられている。開口部４１は、基部３５の外縁３５ｃの近くに設けられている。
【００２８】
基部３５は、張出部４２と、延出部４３とを有している。張出部４２は、開口部４１を形成する孔縁４１ａから、外縁３５ｃに向かって張り出している。延出部４３は、孔縁４１ａから延出している。延出部４３の先端に嵌合部３６が設けられている。
【００２９】
図９は、図８のＦ９−Ｆ９線に沿って取付部材１３および転倒防止部材１４を示す断面図である。図９に示すように、嵌合部３６は、挟持部３７と基部３５との間に配置されている。嵌合部３６は、延出部４３の先端から、基部３５の第２の面３５ｂの方向に向かって突出している。言い換えると、嵌合部３６は、基部３５からカバー部材１１と遠ざかる方向に向かって突出している。嵌合部３６は、延出部４３の一部を曲げて形成されている。
【００３０】
嵌合部３６の先端に、係止部４６が設けられている。係止部４６は、嵌合部３６の先端から、基部３５に向かってテーパ状に広がっている。係止部４６は、基部３５の外縁３５ｃに向かう方向と張出部４２に向かう方向とに張り出している。
【００３１】
図９に示すように、挟持部３７は、基部３５から第２の面３５ｂの方向に向かって突出している。図８に示すように、挟持部３７は、基部３５の外縁３５ｃに連続している。このため、挟持部３７は、嵌合部３６よりもカバー部材１１の周縁部１１ｂの近くに配置される。挟持部３７は、基部３５と協働して開口部４１を形成している。
【００３２】
挟持部３７は、曲げ部４８を有している。曲げ部４８は、嵌合部３６から遠ざかる方向に向かって曲げられている。言い換えると、曲げ部４８は、嵌合部３６との間の隙間Ｓを拡大するように曲げられている。
【００３３】
図６に示すように、転倒防止部材１４は、片部５１と、筒部５２とを有している。転倒防止部材１４は、例えば短冊状の鉄板をクリップ状に曲げて形成される。図９に示すように、片部５１は、第１の端部５１ａと、第２の端部５１ｂとを有している。筒部５２は、片部５１の第２の端部５１ｂに設けられている。片部５１に、嵌合孔５３が設けられている。筒部５２に、引掛孔５４が形成されている。
【００３４】
嵌合孔５３は、嵌合部３６が挿通可能な大きさの孔である。嵌合孔５３の径は、係止部４６の幅よりも僅かに小さい。転倒防止部材１４は、嵌合孔５３に嵌合部３６が嵌り込むことで嵌合部３６に取り付けられる。嵌合孔５３の径は、嵌合部３６の幅よりも大きい。このため、転倒防止部材１４は、嵌合部３６に対して僅かに動くことができる。
【００３５】
図９に示すように、転倒防止部材１４が嵌合部３６に取り付けられると、片部５１の第１の端部５１ａは、基部３５の張出部４２に重なる。さらに、片部５１の第２の端部５１ｂは、挟持部３７に重なる。このように、挟持部３７は、基部３５との間で転倒防止部材１４を挟む。
【００３６】
係止部４６の幅が嵌合孔５３の径よりも僅かに大きいため、係止部４６は、転倒防止部材１４を支持する。さらに、係止部４６は、基部３５の張出部４２との間で転倒防止部材１４を挟む。
【００３７】
図５に示すように、連結部３８は、基部３５の内縁３５ｄから張り出して設けられている。連結部３８は、内縁３５ｄに沿って延びる一対の挿入部５６を有している。一対の挿入部５６は、支持部材１２の凹部２８に嵌め込まれる。
【００３８】
支持部材１２と取付部材１３とがカバー部材１１に取り付けられると、挿入部５６は、凹部２８とカバー部材１１との間に挟まれる。挿入部５６は、凹部２８とカバー部材１１とが協働して形成する穴に入り込む。
【００３９】
転倒防止部材１４は、次のように嵌合部３６に取り付けられる。  
図１０は、転倒防止部材１４の取り付け方法を説明する断面図である。図１０に示すように、転倒防止部材１４は、矢印Ａで示す方向に向かって、嵌合部３６と挟持部３７との間の隙間Ｓに挿入される。矢印Ａは、基部３５の第１の面３５ａの方向から、嵌合部３６と挟持部３７との間の隙間Ｓに向かう方向を示している。
【００４０】
転倒防止部材１４は、隙間Ｓに挿入された後に、図１０の矢印Ｂで示す方向に回転させられる。これにより、嵌合部３６が転倒防止部材１４の嵌合孔５３に嵌め込まれる。係止部４６がテーパ状に広がっているため、嵌合部３６は、嵌合孔５３を通ることができる。
【００４１】
嵌合部３６が転倒防止部材１４の嵌合孔５３に嵌め込まれると、転倒防止部材１４は、係止部４６に支持される。このように、転倒防止部材１４は、嵌合部３６に取り付けられる。
【００４２】
転倒防止部材１４が嵌合部３６に取り付けられた後、取付部材１３は、図１０の矢印Ｃで示す方向に向かってカバー部材１１に取り付けられる。図９に示すように、取付部材１３がカバー部材１１に取り付けられると、転倒防止部材１４は、カバー部材１１と挟持部３７との間に挟まれる。さらに、転倒防止部材１４は、カバー部材１１と係止部４６との間に挟まれる。
【００４３】
図１１は、転倒防止部材１４の使用方法を説明するための、液晶テレビ１の平面図である。図１１に示すように、液晶テレビ１の背後に位置する壁面Ｗに、フック５８が固定される。
【００４４】
フック５８と一対の転倒防止部材１４とが、ワイヤロープ５９によって繋がれる。ワイヤロープ５９は、一対の転倒防止部材１４の引掛孔５４と、フック５８とに通される。なお、ワイヤロープ５９の代わりに、丈夫な紐を用いても良い。
【００４５】
フック５８と転倒防止部材１４とがワイヤロープ５９によって繋がれているため、液晶テレビ１は、ワイヤロープ５９によって壁面Ｗに繋がれる。このため、例えば地震の際に、液晶テレビ１が前方向に倒れることが防止される。
【００４６】
前記構成の液晶テレビ１によれば、取付部材１３がガラス製のカバー部材１１に取り付けられる。この取付部材１３に、転倒防止部材１４が取り付けられている。このように、スタンド４の大部分を占めるカバー部材１１をガラスで形成したとしても、スタンド４に転倒防止部材１４を取り付けることができる。
【００４７】
なお、カバー部材１１の材料はガラスに限らない。取付部材１３は、例えばアクリル板や木板など、種々の材料によって形成されたカバー部材１１に取り付けることができる。このように、カバー部材１１の材料によらずに、カバー部材１１に転倒防止部材１４を取り付けることができるため、液晶テレビ１の転倒を防止できる。
【００４８】
取付部材１３は、支持部材１２とは別の部品で構成されている。このため、大きさの異なる複数種類のカバー部材１１に対して、共通の取付部材１３および支持部材１２を取り付けることができる。取付部材１３と支持部材１２とを共通化できるため、液晶テレビ１の製造コストを低減させることができる。
【００４９】
支持部材１２と取付部材１３とは、据付面２ａに対向する第１の面２１に固定されている。液晶テレビ１をテレビ台２の据付面２ａに設置すると、支持部材１２と取付部材１３とは、カバー部材１１の下に隠れる。これにより、液晶テレビ１の外観を良くすることができる。
【００５０】
嵌合部３６は、カバー部材１１と遠ざかる方向に向かって突出している。このため、嵌合部３６の先端がカバー部材１１に当たることでカバー部材１１に応力がかかることを防止できる。
【００５１】
転倒防止部材１４は、嵌合孔５３に嵌合部３６が嵌り込むことで、嵌合部３６に取り付けられる。これにより、転倒防止部材１４を取付部材１３に取り付ける際の固定具が不要となり、部品点数を低減することができる。
【００５２】
挟持部３７は、基部３５との間で転倒防止部材１４の片部５１を挟んでいる。例えば地震の際に、転倒防止部材１４は、ワイヤロープ５９によって図９の矢印Ｒで示す方向に引っ張られる。転倒防止部材１４が引っ張られると、挟持部３７と基部３５とが転倒防止部材１４を受ける。これにより、転倒防止部材１４が嵌合部３６から外れることを防止できる。
【００５３】
嵌合部３６は、挟持部３７と基部３５との間に配置されている。これにより、転倒防止部材１４が矢印Ｒで示す方向に引っ張られた際に、挟持部３７と基部３５とが転倒防止部材１４を効果的に受けることができる。
【００５４】
挟持部３７の曲げ部４８は、嵌合部３６から遠ざかる方向に向かって曲げられている。これにより、嵌合部３６と挟持部３７との間の隙間Ｓが大きく確保される。隙間Ｓが大きくなるため、転倒防止部材１４を容易に嵌合部３６に取り付けることができる。
【００５５】
係止部４６は、転倒防止部材１４を支持している。これにより、転倒防止部材１４が嵌合部３６から抜け出ることを防止できる。さらに、係止部４６は、基部３５との間で転倒防止部材１４を挟んでいる。例えば地震の際に転倒防止部材１４が矢印Ｒで示す方向に引っ張られると、係止部４６は、挟持部３７とともに転倒防止部材１４を受ける。これにより、転倒防止部材１４が嵌合部３６から外れることを防止できる。
【００５６】
係止部４６は、基部３５の外縁３５ｃに向かう方向と張出部４２に向かう方向とに張り出している。すなわち、係止部４６は、係止部４６が転倒防止部材１４を受ける際に力がかかる方向に張り出している。これにより、係止部４６は効果的に転倒防止部材１４を受けることができる。
【００５７】
転倒防止部材１４が図９に矢印Ｕで示す方向に引っ張られた場合、係止部４６とカバー部材１１とが転倒防止部材１４を受ける。矢印Ｕは、矢印Ｒが示す方向の反対方向を示している。係止部４６とカバー部材１１とが転倒防止部材１４を受けることにより、転倒防止部材１４が矢印Ｕ方向に引っ張られた場合であっても、転倒防止部材１４が嵌合部３６から抜け出ることを防止できる。
【００５８】
連結部３８の挿入部５６は、支持部材１２の凹部２８とカバー部材１１とが協働して形成する穴に入り込んでいる。これにより、万が一取付部材１３をカバー部材１１に固定する両面テープが剥がれたとしても、挿入部５６は、凹部２８に嵌め込まれたまま残る。したがって、取付部材１３がカバー部材１１から剥落することを防止できる。
【００５９】
張出部４２は、開口部４１を形成する孔縁４１ａから張り出している。片部５１の第１の端部５１ａは、基部３５の張出部４２に重なる。これにより、例えば地震の際に基部３５が転倒防止部材１４を受ける面積を大きくすることができる。
【００６０】
次に、本発明の第２の実施の形態について、図１２および図１３を参照して説明する。このとき、第１の実施形態の液晶テレビ１と同一の機能を有する構成部分には同一の参照符号を付してその説明を省略する。
【００６１】
図１２は、スタンド４を下方向から示す斜視図である。図１２に示すように、取付部材１３の基部３５に、隆起部７０が設けられている。隆起部７０は、基部３５の第２の面３５ｂから突出している。
【００６２】
隆起部７０に、転倒防止部材７１が取り付けられている。転倒防止部材７１は、ねじのような第１の固定具７２によって、隆起部７０に固定される。転倒防止部材７１は、可撓性のベルトである。転倒防止部材７１に、複数の固定孔７３が設けられている。固定孔７３は、転倒防止部材７１が延ばされた方向に並んで設けられている。
【００６３】
図１３は、転倒防止部材７１の使用方法を示す斜視図である。転倒防止部材７１は、図１２に示す格納位置と、図１３に示す使用位置との間で回動できる。図１３に示すように、使用位置における転倒防止部材７１は、カバー部材１１の周縁部１１ｂから外に出ている。
【００６４】
使用位置における転倒防止部材７１は、第２の固定具７４によって、テレビ台２に取り付けられる。第２の固定具７４は、例えば木ねじである。第２の固定具７４は、固定孔７３を通って転倒防止部材７１をテレビ台２にねじ止めする。
【００６５】
ベルト状の転倒防止部材７１ではなく、クリップ状の転倒防止部材１４が用いられる場合、転倒防止部材７１は格納位置に配置される。図１２に示すように、格納位置における転倒防止部材７１は、カバー部材１１の周縁部１１ｂの内側に位置する。
【００６６】
前記構成の液晶テレビ１によれば、クリップ状の転倒防止部材１４だけでなく、ベルト状の転倒防止部材７１を取付部材１３に取り付けることができる。これにより、例えばテレビ台２に転倒防止部材７１を固定することで、液晶テレビ１の転倒を防止できる。
【００６７】
なお、本発明は上記実施の形態に特定されるものではなく、発明の趣旨を逸脱しない範囲内で種々変更して実施可能である。例えば、本発明は液晶テレビに限らず、パーソナルコンピュータのディスプレイ装置にも適用できる。
【符号の説明】
【００６８】
１…液晶テレビ，３…表示装置，４…スタンド，８ａ…表示画面，１１…カバー部材，１１ｂ…周縁部，１２…支持部材，１３…取付部材，１４…転倒防止部材。
【図１】
2011199416.tif 000003
【図２】
2011199416.tif 000004
【図３】
2011199416.tif 000005
【図４】
2011199416.tif 000006
【図５】
2011199416.tif 000007
【図６】
2011199416.tif 000008
【図７】
2011199416.tif 000009
【図８】
2011199416.tif 000010
【図９】
2011199416.tif 000011
【図１０】
2011199416.tif 000012
【図１１】
2011199416.tif 000013
【図１２】
2011199416.tif 000014
【図１３】
2011199416.tif 000015
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
映像を表示する表示画面を有した表示装置と、
前記表示装置を支持した支持部材と、
前記支持部材が取り付けられたカバー部材と、
前記支持部材とは別の部品で構成され、前記カバー部材に取り付けられるとともに、転倒防止部材が取り付けられる取付部材と、
を具備したことを特徴とするテレビ。
【請求項２】
前記カバー部材は、前記支持部材と前記取付部材とが取り付けられた第１の面と、前記第１の面の反対側に位置するとともに前記表示装置の方向に向いた第２の面とを有したことを特徴とする請求項１に記載のテレビ。
【請求項３】
前記転倒防止部材に嵌合孔が設けられ、
前記取付部材は、前記嵌合孔に嵌め込まれることで前記転倒防止部材が取り付けられる嵌合部を有したことを特徴とする請求項２に記載のテレビ。
【請求項４】
前記取付部材は、前記カバー部材に取り付けられた基部を有し、
前記嵌合部は、前記基部から前記カバー部材と遠ざかる方向に向かって突出したことを特徴とする請求項３に記載のテレビ。
【請求項５】
前記取付部材は、前記基部との間で前記転倒防止部材を挟む挟持部を有したことを特徴とする請求項４に記載のテレビ。
【請求項６】
前記嵌合部は、前記挟持部と前記基部との間に配置されたことを特徴とする請求項５に記載のテレビ。
【請求項７】
前記挟持部は、前記嵌合部から遠ざかる方向に向かって曲げられた曲げ部を有したことを特徴とする請求項５に記載のテレビ。
【請求項８】
前記嵌合部は、前記基部との間で前記転倒防止部材を挟む係止部を有したことを特徴とする請求項４に記載のテレビ。
【請求項９】
画像を表示する表示装置を支持するための支持部材と、
前記支持部材が取り付けられたカバー部材と、
前記支持部材とは別の部品で構成され、前記カバー部材に取り付けられるとともに、転倒防止部材が取り付けられる取付部材と、
を具備したことを特徴とするスタンド。
【請求項１０】
画像を表示する表示装置を支持するための支持部材と、
前記支持部材が取り付けられたカバー部材と、
前記支持部材とは別の部品で構成され、前記カバー部材に取り付けられるとともに、転倒防止部材が取り付けられる取付部材と、
を具備したことを特徴とする電子機器。
【手続補正２】
【補正対象書類名】明細書
【補正対象項目名】００１０
【補正方法】変更
【補正の内容】
【００１０】
上記目的を達成するための本発明の一つの形態に係るテレビは、  
映像を表示する表示画面を有した表示装置と、前記表示装置を支持した支持部材と、前記支持部材が取り付けられたカバー部材と、前記支持部材とは別の部品で構成され、前記カバー部材に取り付けられるとともに、転倒防止部材が取り付けられる取付部材と、を具備する。
【手続補正３】
【補正対象書類名】明細書
【補正対象項目名】００１１
【補正方法】変更
【補正の内容】
【００１１】
上記目的を達成するための本発明の一つの形態に係るスタンドは、  
画像を表示する表示装置を支持するための支持部材と、前記支持部材が取り付けられたカバー部材と、前記支持部材とは別の部品で構成され、前記カバー部材に取り付けられるとともに、転倒防止部材が取り付けられる取付部材と、を具備する。
【手続補正４】
【補正対象書類名】明細書
【補正対象項目名】００１２
【補正方法】変更
【補正の内容】
【００１２】
上記目的を達成するための本発明の一つの形態に係る電子機器は、  
画像を表示する表示装置を支持するための支持部材と、前記支持部材が取り付けられたカバー部材と、前記支持部材とは別の部品で構成され、前記カバー部材に取り付けられるとともに、転倒防止部材が取り付けられる取付部材と、を具備する。
【手続補正５】
【補正対象書類名】明細書
【補正対象項目名】００６７
【補正方法】変更
【補正の内容】
【００６７】
なお、本発明は上記実施の形態に特定されるものではなく、発明の趣旨を逸脱しない範囲内で種々変更して実施可能である。例えば、本発明は液晶テレビに限らず、パーソナルコンピュータのディスプレイ装置にも適用できる。
以下に、出願当初の特許請求の範囲の内容を付記する。
[１]映像を表示する表示画面を有した表示装置と、
前記表示装置を支持した支持部材と、
前記支持部材が取り付けられたカバー部材と、
前記支持部材とは別の部品で構成され、前記支持部材から外れた位置で前記カバー部材に取り付けられるとともに、転倒防止部材が取り付けられる取付部材と、
を具備したことを特徴とするテレビ。
[２]前記カバー部材は、前記支持部材と前記取付部材とが取り付けられた第１の面と、前記第１の面の反対側に位置するとともに前記表示装置の方向に向いた第２の面とを有したことを特徴とする[１]に記載のテレビ。
[３]前記転倒防止部材に嵌合孔が設けられ、
前記取付部材は、前記嵌合孔に嵌め込まれることで前記転倒防止部材が取り付けられる嵌合部を有したことを特徴とする[２]に記載のテレビ。
[４]前記取付部材は、前記カバー部材に取り付けられた基部を有し、
前記嵌合部は、前記基部から前記カバー部材と遠ざかる方向に向かって突出したことを特徴とする[３]に記載のテレビ。
[５]前記取付部材は、前記基部との間で前記転倒防止部材を挟む挟持部を有したことを特徴とする[４]に記載のテレビ。
[６]前記嵌合部は、前記挟持部と前記基部との間に配置されたことを特徴とする[５]に記載のテレビ。
[７]前記挟持部は、前記嵌合部から遠ざかる方向に向かって曲げられた曲げ部を有したことを特徴とする[５]に記載のテレビ。
[８]前記嵌合部は、前記基部との間で前記転倒防止部材を挟む係止部を有したことを特徴とする[４]に記載のテレビ。
[９]画像を表示する表示装置を支持するための支持部材と、
前記支持部材が取り付けられたカバー部材と、
前記支持部材とは別の部品で構成され、前記支持部材から外れた位置で前記カバー部材に取り付けられるとともに、転倒防止部材が取り付けられる取付部材と、
を具備したことを特徴とするスタンド。
[１０]画像を表示する表示装置を支持するための支持部材と、
前記支持部材が取り付けられたカバー部材と、
前記支持部材とは別の部品で構成され、前記支持部材から外れた位置で前記カバー部材に取り付けられるとともに、転倒防止部材が取り付けられる取付部材と、
を具備したことを特徴とする電子機器。